(57)【要約】      （修正有）【課題】航空宇宙産業の用途において使用される、重量とスペースを節約できる圧力パネルを提供する。【解決手段】異方性の圧力パネル１２が開示されている。圧力パネルは少なくとも二つの識別可能な区域３０、３２を含み、一つの区域３０は、少なくとも一つの別の区域３２以上に横方向の変形に屈する。区域の各々は単独で複数のビード部５８を含むことがあり、かかるビード部は、任意には、圧力パネルの本体に一体的に形成される。圧力パネルは、翼部のような耐荷重構造物と連結されることがあり、また、少なくとも部分的に脚室を画定することもある。【選択図】図２
2015016856.tif 000002
【特許請求の範囲】
【請求項１】
航空宇宙産業用途において、圧力バリア（１９）を少なくとも部分的に画定するために使用する圧力パネル（１２）であって、前記圧力パネル（１２）は、
横の方向を画定する幅（３４）、縦の方向を画定する長さ（３８）、及び、実質的に前記幅（３４）及び前記長さ（３８）を下回る厚み（３９）を有する本体を備え、
前記本体は、実質的に前記本体の前記幅（３４）にわたって広がる第１区域（３０）と、実質的に前記本体の前記幅（３４）にわたって広がる第２区域（３２）を有し、
前記第１区域（３０）は、前記第２区域（３２）以上に横方向の変形に屈し、
前記本体は、前記第１区域（３０）の中に第１の複数の引き伸ばされたビード部（６０）を画定し、
前記本体は、前記第２区域（３２）の中に第２の複数の引き伸ばされたビード部（６２）を画定する、圧力パネル。
【請求項２】
前記第１の複数の引き伸ばされたビード部（６０）は、前記第２の複数の引き伸ばされたビード部（６２）とは別方向に方向付けられる、請求項１に記載の圧力パネル。
【請求項３】
前記第１の複数の引き伸ばされたビード部（６０）は、前記第２の複数の引き伸ばされたビード部（６２）に対して実質的に垂直に方向付けられる、請求項２に記載の圧力パネル。
【請求項４】
前記第１の複数のビード部（６０）の各々は、中央部及び少なくとも一つの広がった端部区域を有する、請求項１から３のいずれか一項に記載の圧力パネル。
【請求項５】
前記第２の複数のビード部（６２）の各々は、中央部及び少なくとも一つの広がった端部区域を有する、請求項１から４のいずれか一項に記載の圧力パネル。
【請求項６】
前記第１の複数の引き伸ばされたビード部（６０）の各々は前記本体を一体的に形成する、請求項１から５のいずれか一項に記載の圧力パネル。
【請求項７】
前記第２の複数の引き伸ばされたビード部（６２）の各々は前記本体を一体的に形成する、請求項１から６のいずれか一項に記載の圧力パネル。
【請求項８】
前記本体は、アルミニウム合金、マグネシウム合金、又はチタン合金で構成される、請求項１から７のいずれか一項に記載の圧力パネル。
【請求項９】
前記本体は、ガラス、カーボン及びアラミドのうち少なくとも一つを含む繊維強化複合材で構成される、請求項１から８のいずれか一項に記載の圧力パネル。
【請求項１０】
航空機（１０）であって、
与圧区画（１８）のある胴体部（２１）、及び、
少なくとも一つの圧力パネル（１２）を備え、前記圧力パネルは、
横の方向を画定する幅（３４）、縦の方向を画定する長さ（３８）、及び、実質的に前記幅及び前記長さを下回る厚み（３９）を有する本体を備え、
前記本体は、実質的に前記本体の前記幅にわたって広がる第１区域（３０）と、実質的に前記本体の前記幅にわたって広がる第２区域（３２）を有し、
前記第１区域（３０）は、前記第２区域（３２）以上に横方向の変形に屈し、
前記本体は、前記第１区域の中に第１の複数の引き伸ばされたビード部（６０）を画定し、かつ、
前記本体は、前記第２区域の中に第２の複数の引き伸ばされたビード部（６２）を画定し、
前記少なくとも一つの圧力パネル（１２）は、胴体部(２１）によって支持され、かつ、前記航空機の飛行中に、前記航空機（１０）の外部の圧力を上回る、又は下回る与圧区画（１８）の内部の圧力を、少なくとも部分的に保持するよう構成される、航空機。
【請求項１１】
前記胴体部（２１）に沿って長手方向に延伸し、前記少なくとも一つの圧力パネル（１２）の上部表面に係合する、間隔をあけて配置された複数の梁部（２４）を更に備え、各梁部は、前記第１の複数のビード部（６０）の隣接したビード部の間を延伸する、請求項１０に記載の航空機（１０）。
【請求項１２】
機外翼部（２２）、及び、前記機外翼部の間に中央翼部（２３）を含む翼アセンブリ（２０）を更に備え、
前記少なくとも一つの圧力パネル（１２）は、前記中央翼部に隣接して、かつ、機械的に連動して、前記第１区域と共に配置される、請求項１０又は１１に記載の航空機（１０）。
【請求項１３】
前記少なくとも一つの圧力パネル（１２）が、前記航空機の脚室（１６）を少なくとも部分的に画定する、請求項１０から１２のいずれか一項に記載の航空機（１０）。
【発明の詳細な説明】
【技術分野】
【０００１】
本開示は、航空宇宙産業の用途において使用されるような、圧力パネルに関する。
【背景技術】
【０００２】
航空機のような航空宇宙機は、通常、周囲気圧が低い中で作動するように設計される一方で、旅客、作業員及び／又は貨物のために与圧区画を保持する。高高度又は宇宙での運航において、高度圧が低く保たれている与圧区画と、大気圧である非与圧区画との間に、非常に大きな圧力差が存在することがある。圧力パネルは、航空宇宙産業用途では、航空宇宙機内部の与圧が異なる区域、例えば与圧旅客区画と非与圧機械区画を、隔てかつ保持するために使用される。
【０００３】
航空宇宙機には、曲がることで荷重に反発する、耐荷重支持体が組み込まれることもある。例えば、飛行中の航空機の翼部は、航空機と、貨物があればその全ての荷重を担っている。与圧区画が胴体部内部の中央翼部に連結している時のように、航空機の翼部が与圧区画と相互に作用し合う場合、構造支持体及び／又は壁部には、翼部によって生成される力がかかる。伝統的に、かかる境界壁を画定する圧力パネルは、翼部によって生成される顕著な力に耐え、それに反発するよう設計されてきたため、結果として非常に強固な壁になっているが、重く、航空機内の貴重なスペースを占有する壁でもある。
【発明の概要】
【０００４】
本開示による装置には、圧力バリアを形成する一又は複数の圧力パネルにより少なくとも部分的に画定された、与圧区画が組み込まれる。かかる圧力パネルは、異方性であり、実質的に圧力パネルの幅にわたって広がる、少なくとも二つの識別可能な区域を含む。第１の区域は、少なくとも一つの別の区域以上に、横方向の変形に屈する。本開示による圧力パネルは、例えば、与圧された航空機または宇宙船における航空宇宙産業用途、並びに潜水艦における海洋用途のような、圧力バリアが画定される、いかなる適当な用途にも使用されうる。
【０００５】
いくつかの実施形態では、第１区域は引き伸ばされたビード部を含む。ビード部は、第１区域が、縦方向の変形以上に横方向の変形に屈しても良いように配列され、及び／又は方向付けられる。加えて、又は代替的には、第２区域は引き伸ばされたビード部を含む。ビード部は、第２区域が、縦方向の変形以上に横方向の変形に耐性を有することができるように、配列され及び／又は方向付けられる。第１区域及び第２区域の各々が複数のビード部を含む場合、第１区域のビード部と第２区域のビード部は互いに別方向に、任意には斜めに、実質的に垂直に、又は垂直に、方向付けられる。ビード部は楕円形の区域を含むことがあり、任意には相対的に均一な深さ、及び一又は複数の広がった端部を有し、任意には端部から楕円形の区域の深さまで様々な深さを備える。
【０００６】
圧力パネルが任意的なビード部を含む場合、かかるビード部はパネルの本体によって一体的に形成される。余剰の構成要素を削減することにより、かかる圧力パネルは、航空宇宙機の組立簡素化及び重量削減を提供しうる。
【０００７】
本開示による圧力パネルは、アルミニウム合金、マグネシウム合金及びチタン合金のうち一又は複数のような（ただしそれだけに限定されない）金属合金を含む金属により形成され、かつ、カーボン繊維、ガラス繊維及びアラミド繊維のうち一又は複数が組み入れられた繊維基複合材のような（ただしそれだけに限定されない）複合構造物により形成される。
【０００８】
本開示の圧力パネルは、翼部のような耐荷重構成要素と連結した与圧区画のための圧力バリアの一部として役立つ。本開示の圧力パネルが組み込まれた圧力バリアの例示的な非排他的実施例は、脚室を含む。
【０００９】
上述の特性、機能及び利点は、様々な実施形態において単独で実現することが可能であり、以下の説明及び図面を参照して更なる詳細が明らかにされる、また別の実施形態において組み合わせることもできる。
【図面の簡単な説明】
【００１０】
【図１】航空機の斜視図である。
【図２】本開示による圧力パネルを表す概略平面図であり、中央翼部の機尾側に隣接する航空機脚室の圧力バリアとして、任意に示されたものでもある。
【図３】図２の線３−３に通常対応する概略的な部分断面図であり、無荷重形状における、本開示による圧力パネルの第１区域を表している。
【図４】図２の線３−３に通常対応する概略的な部分断面図であり、被荷重形状における、本開示による圧力パネルの第１区域を表している。
【図５】圧力パネル及び任意的な中央翼部の概略的な部分断面図であり、図２の線５−５に通常対応する。
【図６】本開示による圧力パネルの例示的な非排他的実施例の平面図である。
【図７】図６の圧力パネルの断面図であり、線７−７に通常対応する。
【図８】図６の圧力パネルの側面図である。
【図９】図６の圧力パネルの部分等角図である。
【図１０】航空機の一部の部分等角図であり、本開示による圧力パネルの複数の例示的な非排他的実施例によって画定された脚室を含み、脚室は、航空機の中央翼部の機尾側に隣接している。
【発明を実施するための形態】
【００１１】
本開示は、航空宇宙産業用途において使用されるような（ただしそれだけに限定されない）圧力パネルに関する。図１は、商用の固定翼航空機１０を、本開示による圧力パネルを利用可能な航空宇宙産業用途の例示的な非排他的実施例として、概略的に提示している。しかし、軍事航空機、回転翼機及び宇宙飛行体を含む（ただしそれだけに限定されない）他の航空宇宙産業用途も、本開示の範囲内である。更に、本開示による圧力パネルは、例えば潜水艦のような海洋用途を含む（ただしそれだけに限定されない）航空宇宙産業外の用途でも、圧力バリアを画定するために使用されうる。
【００１２】
航空機１０は、作業員及び旅客の快適さといった目的のために、また、貨物及び設備の保護のために、一又は複数の与圧区画１８を含む。航空機１０は一般的に、航空機１０の内部の与圧区画１８を隔て、かつその完全性を保持するために、圧力パネル１２を含む。圧力パネル１２は、近隣区画及び／又は周囲条件に対する与圧区画１８の圧力差を受ける。更に、圧力パネル１２は、航空機の他の構成要素によって伝えられる荷重及び／又は変形を受ける。かかる荷重及び／又は変形は、その究極的な発生源が、航空機の重量及び航空機の揚力にあることもある。
【００１３】
与圧区画１８を含む航空機１０は、与圧が必要ない設備のための機械区画１４のような、非与圧区画を含むこともある。圧力パネル１２は、与圧区画と非与圧区画を分離するために使用される。非与圧区画の一種は、脚室１６である。一部の航空機１０では、脚室１６は翼部２０が胴体部２１に合するところの近辺に位置する。脚室１６は、胴体部２１に隣接して、又は胴体部２１の下にあり、かつ／或いは、胴体部２１によって画定され、並びに、翼部２０の下又はその機尾側にある。他の構成も、本開示による航空機１０の範囲内に含まれる。
【００１４】
加えて、又は代替的には、一部の航空機１０において、区画は与圧システムによって能動的に与圧されるわけではないが、なおかつ、区画壁は飛行中に、単に飛行高度及び／又は飛行力が変化することにより、したがって外気圧が内部気圧よりも高く又は低くなることで、圧力差を受ける。例えば、一部の航空機は一般的に、貨物区画などの区画内部で高まった気圧を保持するための能動的な与圧システムを有さないが、プラスの及び／又はマイナスの圧力差を含む圧力差が、飛行中に、区画の外部と区画の内部の間で生じることがある。
【００１５】
航空機１０の翼部２０は一般的に、胴体部２１を貫通する、又は胴体部２１の下を通る中央翼部２３、及び二つの機外翼部２２を含む。飛行中に、翼部２０は、航空機１０の重量に反作用する揚力を創出する。揚力は機外翼部２２に沿って分散するため、翼部２０には負荷がかかる。負荷は、揚力及び重力といった外力によってもたらされる、構造物の耐性、すなわち変形に対抗する反力である。全ての負荷は、たとえ微細なものであれ、何らかの変形をもたらす。歪み度とは、負荷がかかる状態での変形の程度である。
【００１６】
飛行の負荷がかかる状態で、翼部２０は曲がり、その下部には圧縮力が、上部には伸長力がかかる。翼部と密接に連結した構成要素は、したがって、飛行中に翼部によって引き起こされる変異を受けた状態で変形する。例えば、脚室１６が翼部２０に隣接している場合、翼部２０の上部により、脚室１６の一部に圧縮力がかかる。圧力パネル１２がかかる脚室１６の一部を形成するために使用される時には、圧力パネル１２は、翼部２０の変異を受け、したがって、圧縮力、並びに、脚室１６と与圧区画１８の間の圧力差を受ける。
【００１７】
図２は、航空機１０の胴体部２１にわたって任意に広がる圧力パネル１２を提示している。圧力パネル１２は通常、より平らな、又はより滑らかな外形を有する、シート状の構造物（クモの巣と呼ばれることもある）である。圧力パネル１２は通常、図２に示すように、胴体部２１にわたって広がるパネル幅３４を備えた長方形である。圧力パネル１２は長方形に限定されず、パネル幅３４は、胴体部２１又は与圧区画１８全体にわたって広がる必要はない。様々な形状のいくつかの圧力パネル１２は、圧力バリア１９の全部又は一部を形成するために協働する。個々の圧力パネル１２は、圧力バリア１９の他の圧力パネル１２と結合する、又は、動作的に連結する（例えば固定され、接着される）よう構成される。図２に図示された実施例では、圧力パネル１２は、圧力パネル１２の第１辺４０で、中央翼部２３と任意に連結している。圧力パネル１２は、フレーム、梁部及びストリンガーなどの構造支持体２４を介して、航空機１０と任意に連結している。
【００１８】
圧力パネル１２は、異なる構造特性を備えた、二つ以上の構造的に識別可能な区域２８を含む。第１辺４０の近辺の第１区域３０では、圧力パネル１２は、所定の方向に沿った変形に相対的に屈する。任意には第１辺４０の反対側の第２辺４２の近辺の、第２区域３２では、圧力パネルは、所定の方向に沿った変形に対し、相対的に耐性がある。所定の方向とは、一般的に、パネル幅３４に実質的に並行しており、かつ／又は第１辺４０に実質的に並行している。
【００１９】
圧力パネル１２の異方性構造特性は、圧力パネル１２が、第１区域３０の近辺の一位置で翼部のような飛行中に変異する構造物に接続している時、及び、第２区域３２の近辺の第二位置で、飛行中に変異しない、又は変異の程度がより小さい構造物に接続している時に、役立つことがある。したがって、圧力パネル１２は、局所的に隣接している変異に迎合する必要がある区域において変形し、また圧力パネルは、隣接した構造物が変異を受けない別の区域においては変形する必要がない。加えて、又は代替的には、異方性構造特性は、航空宇宙機のフレームの総合設計の一部として役立つ。
【００２０】
例えば、圧力パネル１２が、中央翼部２３などの翼部２０と、第１辺４０に沿って連結する場合、第１区域３０は、図２の５０に概略的に示すように、飛行中に翼部による変異を受けることになる。この場合、翼部２０によって生じた顕著な負荷に対して反発することを避けるために、第１区域３０が第１辺４０に沿って迎合することが選ばれうる。迎合性がより軽度な（より剛性の）第２区域３２は、第１区域３０への負荷によるせん断力に反発すると共に、圧力パネル越しの圧力差に耐えるために使用される。
【００２１】
第１区域３０が、飛行の負荷の中など使用中に変形した時、その幅は、約７％、６％、５％、４％、３％、２％、１％、０．７％、０．５％、０．４％、０．３％、０．２％又は０．１％、或いは約０．１〜７％、０．１〜５％、０．１〜１％、又は０．２〜１％減少することが可能である。加えて、又は代替的には、第１区域３０の使用中の変形は、結果として、約１００ｍｍ、７０ｍｍ、５０ｍｍ、４０ｍｍ、３０ｍｍ、２０ｍｍ、１０ｍｍ、７ｍｍ又は５ｍｍ、或いは、約５〜１００ｍｍ、５〜５０ｍｍ、又は５〜３０ｍｍの、パネル幅３４の減少をもたらすこともある。
【００２２】
いくつかの実施形態では、圧力パネル１２の構造的に識別可能な区域２８の各々は、実質的に、パネル幅３４にわたって広がる。通常、区域は、パネル長３８に沿って、異なる場所に位置する。第１区域３０は、パネル長３８の１０％未満、２０％未満、３０％未満、４０％未満、５０％未満、６０％未満、７０％未満、８０％未満、９０％未満、１０〜９０％、１０〜７０％、１０〜５０％、１０〜３０％、３０〜９０％、３０〜７０％、３０〜５０％、５０〜９０％、５０〜７０％、又は７０〜９０％にわたって広がることがある。第２区域３２は、パネル長３８の残部にわたって広がる。三つ以上の構造的に識別可能な区域が存在する時には、第２区域はパネル長３８の残部を下回る範囲にわたって広がる。
【００２３】
第１区域３０は、圧力パネル１２の外形において（圧力パネル１２の局所面において）、少なくとも所定の方向に沿って、相対的に変形に屈する。第１区域３０は、圧力パネル１２の平面において、相対的に均等に、あらゆる方向の変形に応じる。代替的には、第１区域３０は、別の方向の変形に対する応じ方が異なるため、結果として歪み度が異なることになる。
【００２４】
いくつかの実施形態では、第２区域３２は、少なくとも所定の方向に沿った変形に対し、相対的に耐性がある。第１区域３０と同様に第２区域３２は、圧力パネル１２の平面において、相対的に均等に、あらゆる方向の変形に応じるか、或いは、第２区域は、別の方向の変形に対する応じ方が異なる。いくつかの実施形態では、圧力パネル１２は、圧縮方向の、又は伸長方向の荷重、負荷及び／又は変形を受ける。
【００２５】
構造的に識別可能な区域２８の異なる構造特性は、構造的に識別可能な区域２８の材料の相違、及び／又は構造の相違によるものである。厚み、面特性、埋め込み特性及び方向付けといった構造的な相違は、構造的に識別可能な区域２８の迎合性に影響を与える。例えば、繊維基複合材の繊維配向は、方向的な迎合性に影響を与える。隆起部、くぼみ、及び他の種類のビード部のような一体構造特性も、方向的な迎合性に影響を与えることがある。構造特性の相違が、少なくとも部分的には方向付けに依拠するものである場合、第１区域３０及び第２区３２は、異なる方向に、任意には直角を成す方向に方向付けられた、実質的に同一の材料から成る。
【００２６】
圧力差を保持するには、圧力パネル１２は、非多孔質で、パネル厚３９（図３）越しの圧力差に耐える十分な強度を有することが不可欠である。与圧区画１８には、いくつかの圧力パネル１２が組み込まれることがあり、その各々は、空気の顕著な漏洩を防ぐ方法で組み立てられる。しばしば、例えば商用航空機では、与圧区画１８は、約７０〜１００ｋＰａという地表近辺の大気と同様の気圧に保たれる。それゆえ、圧力パネル１２は、約１７０ｋＰａ（２５ｐｓｉ）、１４０ｋＰａ（２０ｐｓｉ）、１２０ｋＰａ（１７ｐｓｉ）、１００ｋＰａ（１５ｐｓｉ）、９０ｋＰａ（１３ｐｓｉ）、８０ｋＰａ（１２ｐｓｉ）、７０ｋＰａ（１０ｐｓｉ）、６０ｋＰａ（９ｐｓｉ）、５０ｋＰａ（７ｐｓｉ）、４０ｋＰａ（６ｐｓｉ）、又は３５ｋＰａ（５ｐｓｉ）、或いは、約４０〜１２０ｋＰａ、４０〜１００ｋＰａ、又は４０〜８０ｋＰａの差圧に耐えるよう設計される。しかし、圧力パネルが、約３．５〜３５ｋＰａ（０．５〜５ｐｓｉ）という範囲の差圧を含む、３５ｋＰａ（５ｐｓｉ）未満の差圧にしか耐えないように設計されることも、本開示の範囲内である。かかる圧力パネルは、能動的な与圧システムを含まないが、なおかつ、飛行中に区画壁越しに差圧を受ける小型航空機のような小型航空機において、特に役立つ可能性がある。
【００２７】
圧力パネル１２は相対的に薄く、シート状である。パネル厚３９は通常、パネル幅３４及びパネル長３８に比べごく小さい。例えば、パネル厚３９は、パネル幅３４又はパネル長３８の約１％、約０．５％、約０．２％、約０．１％又は０．１％未満となる。代替的には、又は加えて、パネル厚３９は、約０．４ｍｍ、０．６ｍｍ、０．８ｍｍ、１．０ｍｍ、１．５ｍｍ、２ｍｍ、３ｍｍ、４ｍｍ、５ｍｍ、６ｍｍ、７ｍｍ、８ｍｍ、又は１０ｍｍ、或いは、約０．４〜１０ｍｍ、０．４〜６ｍｍ、０．４〜３ｍｍ、０．８〜８ｍｍ、又は０．８〜４ｍｍとなりうる。
【００２８】
圧力パネル１２、したがって第１区域３０及び第２区域３２を形成するのに適当な材料は、金属、ポリマー、及び複合材が含む。具体的には、金属には、アルミニウム合金、マグネシウム合金、及びチタン合金が含まれる。複合材は、カーボン、ガラス、ポリマー、及び／又はアラミド繊維を包含し、繊維が単軸性、二軸性、フェルト性、織り性、及び／又は編組性である、繊維基複合材を含む。
【００２９】
圧力パネル１２は、型打、フォーミング、レイアップ、押出加工、モールディング、裁断、曲げ加工、及びエッチングなどの技術を使用して作られる。一部の材料には、切削加工のようなサブトラクティブ的な製造技術を行うことができる。一部の材料には、３Ｄ印刷のようなアディティブ的な製造技術を行うことができる。
【００３０】
図２〜３は、第１区域３０及び／又は第２区域３２にある、任意的なビード部又は特性５８を示す。第１区域ビード部６０は、第１区域３０に相対的に高い迎合性を付与するために使用される。第２区域ビード部６２は、第２区域３２に相対的に低い迎合性を付与するために使用される。ビード部５８は通常、パネルの片面に凹部を形成し、別の面に凸部を形成する、パネルの構成物である。ビード部５８の凹部は全て、図３に示すように、圧力パネル１２の同じ面にあるか、或いは、一部の凹部が圧力パネル１２の異なる面にある。いくつかの実施形態では、パネル材の厚みは通常、ビード部５８にわたりほぼ一定のままである。加えて、又は代替的には、パネル材の厚みは、例えばビード部フォーミング工程の結果として、採用された工程に応じて、ビード部に関連した区域では薄くなる。ビード部５８は、ほぼ一定間隔に、かつ／又は、ほぼ半一定間隔に、配列形式に配置される。圧力パネル１２が、構造支持体２４と連結している時には、構造支持体２４は、隣接するビード部５８の間に、任意には圧力パネル１２のビード部５８が凸部である面に、延伸する。
【００３１】
ビード部５８は、円形の輪郭を有することがあり、又は引き伸ばされていることもあり、任意には左右対称形及び多元的な対称形を含む。具体的には、ある方向に引き伸ばされたビード部５８は、その方向に方向付けられていると言える。例えば、第１区域ビード部６０の各々は、単独で長手方向軸６１を有する。第１区域ビード部３０のグループの方向付けは、長手方向軸６１の平均的な方向によって画定される。同様に、第２区域ビード部６２の各々は、単独で長手方向軸６３を有する。第２区域ビード部３２のグループの方向付けは、長手方向軸６３の平均的な方向によって画定される。いくつかの実施形態では、構造的に識別可能な区域２８におけるビード部５８全てが、ほぼ同一の形、及び／又は方向付けを有する。いくつかの実施形態では、構造的に識別可能な区域２８には、異なる形、及び／又は方向付けを備えたビード部５８が組み込まれる。
【００３２】
いくつかの実施形態では、ビード部５８は楕円形の輪郭、任意には長方形の輪郭を有し、（平面図に見られるような）一又は複数の広がった端部を含む。ビード部５８が楕円形の中央部及び二つの広がった端部を有する時には、ビード部５８は、蝶ネクタイ型に類似した輪郭を有する。ビード部５８が楕円形輪郭のような引き伸ばされた輪郭を有する時には、ビード部深さ６５は通常均一である。ビード部５８が一又は複数の広がった端部を有する時には、端部は通常円形、又は（平面図に見られるように）通常台形になる。加えて、又は代替的には、広がった端部の深さは一定ではないことがあり、例えば、深さが中央部の深さへと傾斜しており、また例えば、最大深さが中央部の深さを下回るか或いはそれと等しくなる。
【００３３】
ビード部深さ６５、ビード部長６６、ビード部幅６７、横方向ビード部間隔６８及び縦方向ビード部間隔６９は全て、構造的に識別可能な区域２８の迎合性に影響を与える。ビード部５８が引き伸ばされている場合、ビード部長６６はビード部幅６７よりも長くなる。ビード部長６６は、１００ｍｍ、２００ｍｍ、３００ｍｍ、４００ｍｍ、５００ｍｍ、６００ｍｍ、７００ｍｍ、８００ｍｍ、９００ｍｍ、又は１０００ｍｍを超える、或いは、約１００〜１０００ｍｍ、２００〜８００ｍｍ、又は２００〜６００ｍｍとなる。ビード部幅６７は、ビード部長６６の約５％、１０％、２０％、３０％、４０％、５０％、６０％、７０％、８０％、９０％又は１００％か、任意には、ビード部長６６の約５〜１００％、１０〜８０％、１０〜５０％、又は５〜３０％となる。ビード部深さ６５は、ビード部幅６７の約１０％、２０％、３０％、４０％、５０％、６０％、７０％、８０％、９０％、１００％、１２０％、１５０％、又は２００％か、任意には、ビード部幅６７の約１０〜２００％、２０〜１２０％、２０〜８０％、又は２０〜５０％となる。ビード部深さ６５は、約２ｍｍ、５ｍｍ、１０ｍｍ、１５ｍｍ、２０ｍｍ、２５ｍｍ、３０ｍｍ、４０ｍｍ、５０ｍｍ、６０ｍｍ、７０ｍｍ、８０ｍｍ、９０ｍｍ、又は１００ｍｍか、或いは、２〜１００ｍｍ、５〜６０ｍｍ、又は２０〜６０ｍｍになりうる。ビード部横方向間隔６８は、ビード部幅６７の約５０％、８０％、１００％、１２０％、１５０％、２００％、２５０％、３００％、４００％、又は５００％か、任意には、ビード部幅６７の約５０〜５００％、５０〜３００％、８０〜２００％、又は８０〜１５０％になる。ビード部縦方向間隔６９は、ビード部長６６の約５％、１０％、２０％、３０％、４０％、５０％、６０％、７０％、８０％、９０％、１００％、１２０％、１５０％、又は２００％か、任意には、約５〜２００％、５〜１２０％、１０〜８０％、又は７０〜１５０％になる。
【００３４】
無荷重形状（顕著な横方向の変形を受けていない）においては、第１区域３０は、無荷重第１区域幅３５（第１辺４０に最も近い第１区域３０の幅）を有する。被荷重形状（顕著な横方向の変形を受けている）においては、第１区域３０は、無負荷第１区域幅３５とは異なる被荷重第１区域幅３６（第１辺４０に最も近い第１区域３０の幅）を有する。例えば、圧縮方向に変形した状態では、被荷重第１区域幅３６は、無荷重区域幅３５を下回る。圧力パネル１２の周囲形が、無荷重形状において通常長方形である場合、被荷重形状では結果として、圧力パネル１２の周囲形は通常台形になる。
【００３５】
横方向に変形した状態では、圧力パネル１２の第１区域３０の幅は、圧力パネル１２の外形を著しく変形させることなく変化し、或いは、パネルが外形の局所面の外側に曲がることにより、パネルの幅が外形に沿って変化する。図３は、無荷重形状における任意の第１区域ビード部６０を備えた第１区域３０の部分断面を図示しており、第１区域３０は、直線的な輪郭を形成している。一方、図４は、起こりうる被荷重状態における任意の第１区域ビード部６０を備えた第１区域３０の部分断面を図示している。図４の実施例では、第１区域３０には横方向の圧縮力がかかり、第１区域３０は、圧力パネル１２の外形の局所面の外側に曲がり、結果として通常、輪郭にゆがみ又はシヌソイドが生じる。任意の第１区域ビード部６０が存在する時には、横方向の変形により、一又は複数の第１区域ビード部６０に、曲がり、しなり及び／又はゆがみなどの曲がりが生じることがある。一又は複数の第１区域ビード部６０が、圧縮力がかかった状態で曲がる時には、第１区域３０の幅は、アコーディオンのような方式で変化する。
【００３６】
無荷重形状において、圧力パネル１２は通常、平面のようななめらかな外形を画定する。いくつかの実施形態では、例えば図５に図示したように、圧力パネル１２は、第１区域３０を圧力パネル１２の外形の局所面の外側に向ける、曲がった、又は湾曲した区域を含む。圧力パネルがかかる曲がった又は湾曲した区域を含む時には、第１区域３０の少なくとも一部は、圧力パネル１２の通常の外形から約３０°、６０°、９０°、１２０°、又は１５０°（任意には約３０〜１５０°、６０〜１２０°、８０〜１００°）離れた方向に向けられる。これらの実施形態では、圧力パネル１２の輪郭は、Ｖ型又はＬ型を画定する。かかる輪郭は、圧力パネルを用いて与圧区画１８の角を形成するのに役立つ。
【００３７】
ここで図６〜図１０を参照するに、圧力パネル１２及び航空機１０の例示的な非排他的実施例が示されている。必要に応じて、図１〜５の概略図による参照番号が、圧力パネル１２及び航空機１０の対応する部品を指定するために使用されるが、図６〜１０の実施例は非排他的であり、圧力パネル１２及び航空機１０を、図６〜１０に示された実施形態に限定するものではない。つまり、圧力パネル１２及び航空機１０は、図６〜１０に示された特定の実施形態に限定されず、圧力パネル及び航空機には、図１〜５の概略表現、及び／又は図６〜１０の実施形態、並びにそれらの変種に示された、またそれらを参照して説明される、任意の数の様々な態様、形状、特徴、特性等、が組み込まれることがあるが、かかる態様、形状、特徴、特性等が全て含まれる必要はない。説明を簡潔にするために、図６〜１０に関して、前述の構成要素、部品、部分、態様、区域など、又はそれらの変形例の各々の説明、図解、及び／又は分類を繰り返すことはしないが、前述の特性、変形例等が図６〜１０の実施形態により利用可能であることは、本開示の範囲内に含まれる。
【００３８】
図６〜９では、圧力パネル１２は、複数の第１区域ビード部６０を備えた第１区域３０、及び、複数の第２区域ビード部６２を備えた第２区域を含む。第１区域ビード部６０は通常、第１辺４０に沿って一列に配置される。第１区域ビード部６０は、通常第１辺４０まで延伸する長方形の端部、及び、第２区域３２に向かって延伸する、広がった通常台形の端部を有する。長方形の端部は通常、均一な深さを有する。広がった端部は、長方形の端部に向かって傾斜する深さを有する。第２区域ビード部６２は通常、配列形式に配置される。第２区域ビード部６２は、通常長方形の中央部及び二つの広がった、通常台形の端部を有する。中央部は通常、均一な深さを有する。広がった端部は、中央部に向かって傾斜する深さを有する。第１区域３０及び第２区域３２は、構造支持体２４が隣接したビード部５８の間に置かれるよう、構造支持体２４を圧力パネル１２に連結するのに十分な間隔を残す。
【００３９】
図１０では、圧力パネル１２は、複数の第１区域ビード部６０を備えた第１区域３０、複数の第２区域ビード部６２を備えた第２区域３２、及び、第１区域３０に沿った、第１区域を第１区域ビード部６０にわたり湾曲させる曲がりを含む。圧力パネル１２は、脚室１６の水平な圧力デッキを形成する。脚室を部分的に囲う垂直な隔壁も示されている。垂直な隔壁には、第２圧力パネル１２が組み込まれることもある。第２区域ビード部６２は、通常配列形式に配置され、寸法が異なるビード部５８が組み込まれる。圧力パネル１２は、曲がりの近辺で第１区域に沿って、中央翼部２３と連結する。圧力パネル１２は、隣接するビード部５８の間で、いくつかの構造支持体２４（梁部）と連結する。
【００４０】
本開示による発明対象物の例示的な非排他的実施例は、以下に列挙される段落に記載される。
【００４１】
Ａ１．圧力パネルであって、
横の方向を画定する幅、縦の方向を画定する長さ、及び、実質的に幅及び長さを下回る厚みを有する本体を備え、
本体は、実質的に本体の幅にわたって広がる第１区域と、実質的に本体の幅にわたって広がる第２区域を有し、
第１区域は、第２区域以上に横方向の変形に屈する、圧力パネル。
【００４２】
Ａ２．第１区域は、第２区域以上に横方向の圧縮力に屈する、段落Ａ１に記載の圧力パネル。
【００４３】
Ａ３．第２区域は、第１区域以上に横方向の変形に耐性がある、段落Ａ１またはＡ２に記載の圧力パネル。
【００４４】
Ａ４．第２区域は、第１区域以上に横方向の圧縮力に耐性がある、段落Ａ１からＡ３のいずれか一段落に記載の圧力パネル。
【００４５】
Ａ５．第２区域は、第１区域に隣接している、段落Ａ１からＡ４のいずれか一段落に記載の圧力パネル。
【００４６】
Ａ６．第１区域は本体の第１辺に沿っており、任意には、第２区域は第２辺に沿っており、また任意には、第２辺は第１辺の反対側にある、段落Ａ１からＡ５のいずれか一段落に記載の圧力パネル。
【００４７】
Ａ７．第１区域は、第２区域以上に縦方向の変形に耐性がある、段落Ａ１からＡ６のいずれか一段落に記載の圧力パネル。
【００４８】
Ａ８．第２区域は、第１区域以上に縦方向の変形に屈する、段落Ａ１からＡ７のいずれか一段落に記載の圧力パネル。
【００４９】
Ａ９．第１区域は、横方向の変形以上に縦方向の変形に耐性がある、段落Ａ１からＡ８のいずれか一段落に記載の圧力パネル。
【００５０】
Ａ１０．第２区域は、縦方向の変形以上に横方向の変形に耐性がある、段落Ａ１からＡ９のいずれか一段落に記載の圧力パネル。
【００５１】
Ａ１１．第１区域は、本体の長さの１０％未満、２０％未満、３０％未満、４０％未満、５０％未満、６０％未満、７０％未満、８０％未満、９０％未満、１０〜９０％、１０〜７０％、１０〜５０％、１０〜３０％、３０〜９０％、３０〜７０％、３０〜５０％、５０〜９０％、５０７０％、又は７０〜９０％にわたって広がる、段落Ａ１からＡ１０のいずれか一段落に記載の圧力パネル。
【００５２】
Ａ１２．本体は、任意には本体に顕著な損傷なくして、少なくとも３．５ｋＰａ（０．５ｐｓｉ）、少なくとも３５ｋＰａ（５ｐｓｉ）、少なくとも４０ｋＰａ（６ｐｓｉ）、少なくとも５０ｋＰａ（７ｐｓｉ）、少なくとも６０ｋＰａ（９ｐｓｉ）、少なくとも７０ｋＰａ（１０ｐｓｉ）、少なくとも８０ｋＰａ（１２ｐｓｉ）、少なくとも９０ｋＰａ（１３ｐｓｉ）、少なくとも１００ｋＰａ（１４ｐｓｉ）、少なくとも１２０ｋＰａ（１７ｐｓｉ）、少なくとも１４０ｋＰａ（２０ｐｓｉ）、又は少なくとも１７０ｋＰａ（２５ｐｓｉ）の、本体の厚み越しの圧力差に耐えるよう構成された、段落Ａ１からＡ１１のいずれか一段落に記載の圧力パネル。
【００５３】
Ａ１３．本体全体にわたって、厚みが一定であり、任意には実質的に一定であり、また任意には通常一定である、段落Ａ１からＡ１２のいずれか一段落に記載の圧力パネル。
【００５４】
Ａ１４．本体は長方形の、任意には実質的に長方形の、また任意には通常長方形の、周囲形を有する、段落Ａ１からＡ１３のいずれか一段落に記載の圧力パネル。
【００５５】
Ａ１５．本体は、第１区域が顕著な横方向の変形を受けない無荷重形状と、第１区域が著しい横方向の変形を受ける被荷重形状を有する、段落Ａ１からＡ１４のいずれか一段落に記載の圧力パネル。
Ａ１５．１．被荷重形状において、第１区域には顕著な横方向の圧縮力がかかる、段落Ａ１５に記載の圧力パネル。
Ａ１５．２．無荷重形状において、本体は長方形の、任意には実質的に長方形の、また任意には通常長方形の、無荷重周囲形を有し、被荷重形状において、本体は台形の、任意には実質的に台形の、また任意には通常台形の、被荷重周囲形を有する、段落Ａ１５又はＡ１５．１に記載の圧力パネル。
Ａ１５．３．無荷重形状において、第１区域は第１区域無荷重幅を有し、第２区域は、第１区域無荷重幅と実質的に等しい幅を有し、かつ、被荷重形状において、第１区域は第１区域被荷重幅を有し、第２区域は、第１区域被荷重幅と実質的に異なる幅を有する、段落Ａ１５からＡ１５．２のいずれか一段落に記載の圧力パネル。
Ａ１５．４．被荷重形状において、第１区域は顕著な横方向の負荷によってゆがめられる、段落Ａ１５からＡ１５．３のいずれか一段落に記載の圧力パネル。
【００５６】
Ａ１６．第１区域は、第１区域と第２区域の間の構造的相違によって、第２区域以上に横方向の変形に屈する、段落Ａ１からＡ１５．４のいずれか一段落に記載の圧力パネル。
【００５７】
Ａ１７．第１区域は、第１区域と第２区域の間の幾何学的相違によって、第２区域以上に横方向の変形に屈する、段落Ａ１からＡ１６のいずれか一段落に記載の圧力パネル。
【００５８】
Ａ１８．第１区域は、第１区域及び第２区域を構成する材料の相違によって、第２区域以上に横方向の変形に屈する、段落Ａ１からＡ１７のいずれか一段落に記載の圧力パネル。
【００５９】
Ａ１９．本体は通常、第１区域の少なくとも一部を平面の外側に向ける横方向の曲がりを除いては平面を画定する、段落Ａ１からＡ１８のいずれか一段落に記載の圧力パネル。
Ａ１９．１．曲がりが第１区域の少なくとも一部を、約３０°、約６０°、約９０°、約１２０°、又は約１５０°、任意には約３０〜１５０°、６０〜１２０°、８０〜１００°、平面の外側に向ける、段落Ａ１９に記載の圧力パネル。
【００６０】
Ａ２０．第２区域が局所面を確定し、第１区域が局所面の外側に湾曲する、段落Ａ１からＡ１９．１のいずれか一段落に記載の圧力パネル。
Ａ２０．１．第１区域が、約３０°、約６０°、約９０°、約１２０°、又は約１５０°、任意には約３０〜１５０°、６０〜１２０°、８０〜１００°、局所面の外側に湾曲する、段落Ａ２０に記載の圧力パネル。
【００６１】
Ａ２１．本体は、第１区域の中に第１の複数のビード部を画定し、任意には、第１の複数のビード部は引き伸ばされたビード部を含む、段落Ａ１からＡ２０．１のいずれか一段落に記載の圧力パネル。
Ａ２１．１．第１の複数のビード部が縦方向に方向付けられた、段落Ａ２１に記載の圧力パネル。
Ａ２１．２．第１の複数のビード部は一列のビード部から成る、段落Ａ２１またはＡ２１．１に記載の圧力パネル。
Ａ２１．３．第１の複数のビード部は二列以上のビード部を含む、段落Ａ２１からＡ２１．２のいずれか一段落に記載の圧力パネル。
Ａ２１．４．第１の複数のビード部のうち少なくとも一つのビード部は、中央部及び少なくとも一つの広がった端部区域を有する、段落Ａ２１からＡ２１．３のいずれか一段落に記載の圧力パネル。
Ａ２１．４．１．平面図では、少なくとも一つの広がった端部区域は、通常円形、又は通常台形になる、段落Ａ２１．４に記載の圧力パネル。
Ａ２１．４．２．平面図では、中央部が楕円形であり、任意には長方形である、段落Ａ２１．４又はＡ２１．４．１に記載の圧力パネル。
Ａ２１．４．３．中央部は通常均一な深さを有する、段落Ａ２１．４からＡ２１．４．２のいずれか一段落に記載の圧力パネル。
Ａ２１．４．４．少なくとも一つの広がった端部区域は、中央部の深さへと傾斜する、段落Ａ２１．４からＡ２１．４．３のいずれか一段落に記載の圧力パネル。
Ａ２１．４．５．少なくとも一つの広がった端部区域は、深さが一定ではなく、最大深さは中央部の深さを下回るかそれに等しい、段落Ａ２１．４からＡ２１．４．４のいずれか一段落に記載の圧力パネル。
Ａ２１．５．第１の複数のビード部の少なくとも一部は、平面又は局所面の外にあり、任意には、第１の複数のビード部のうち少なくとも一つのビード部は平面又は局所面の外側に曲がって、かつ／或いは湾曲している、段落Ａ１９からＡ２０．１のいずれか一段落に従属してもいる段落Ａ２１からＡ２１．４．５のいずれか一段落に記載の圧力パネル。
【００６２】
Ａ２２．本体は、第２区域の中に第２の複数のビード部を画定し、任意には、第２の複数のビード部は引き伸ばされたビード部を含む、段落Ａ１からＡ２１．５のいずれか一段落に記載の圧力パネル。
Ａ２２．１．第２の複数のビード部は横方向に方向付けられた、段落Ａ２２に記載の圧力パネル。
Ａ２２．２．第２の複数のビード部は二列以上のビード部を含む、段落Ａ２２又はＡ２２．１に記載の圧力パネル。
Ａ２２．３．第１の複数のビード部は第２の複数のビード部とは別方向に方向付けられた、段落Ａ２１からＡ２１．５のいずれか一段落に従属してもいる段落Ａ２２からＡ２２．２のいずれか一段落に記載の圧力パネル。
Ａ２２．３．１．第１の複数のビード部は、第２の複数のビード部に対して斜めに、実質的に垂直に、又は垂直に方向付けられた、段落Ａ２２．３に記載の圧力パネル。
Ａ２２．４．第２の複数のビード部のうち少なくとも一つのビード部は、中央部及び少なくとも一つの広がった端部区域を有する、段落Ａ２２からＡ２２．３．１のいずれか一段落に記載の圧力パネル。
Ａ２２．４．１．平面図では、少なくとも一つの広がった端部区域は、通常円形、又は通常台形になる、段落Ａ２２．４に記載の圧力パネル。
Ａ２２．４．２．平面図では、中央部が楕円形であり、任意には長方形である、段落Ａ２２．４又はＡ２２．４．１に記載の圧力パネル。
Ａ２２．４．３．中央部は通常均一な深さを有する、段落Ａ２２．４からＡ２２．４．２のいずれか一段落に記載の圧力パネル。
Ａ２２．４．４．少なくとも一つの広がった端部区域は、中央部の深さへと傾斜する、段落Ａ２２．４からＡ２２．４．３のいずれか一段落に記載の圧力パネル。
Ａ２２．４．５．少なくとも一つの広がった端部区域は、深さが一定ではなく、最大深さは中央部の深さを下回るかそれに等しい、段落Ａ２２．４からＡ２２．４．４のいずれか一段落に記載の圧力パネル。
【００６３】
Ａ２３．本体は継ぎ目のない（ｍｏｎｏｌｉｔｈｉｃ）物体である、段落Ａ１からＡ２２．４．５のいずれか一段落に記載の圧力パネル。
【００６４】
Ａ２４．第１の複数のビード部のうち少なくとも一つのビード部、任意には全てのビード部は、一体的に本体を形成する、段落Ａ２１からＡ２１．５のいずれか一段落に従属する段落Ａ１からＡ２３のいずれか一段落に記載の圧力パネル。
【００６５】
Ａ２５．第２の複数のビード部のうち少なくとも一つのビード部、任意には全てのビード部は、一体的に本体を形成する、段落Ａ２２からＡ２２．４．５のいずれか一段落に従属する段落Ａ１からＡ２４のいずれか一段落に記載の圧力パネル。
【００６６】
Ａ２６．本体は、金属、任意には、アルミニウム合金、マグネシウム合金及びチタン合金のうち一又は複数で構成される、段落Ａ１からＡ２５のいずれか一段落に記載の圧力パネル。
【００６７】
Ａ２７．本体は複合材、任意には繊維強化複合材で構成され、任意には、繊維は、存在する場合には、ガラス、カーボン及びアラミドのうち少なくとも一つを含む、段落Ａ１からＡ２６のいずれか一段落に記載の圧力パネル。
【００６８】
Ｂ１．航空機であって、
与圧区画を備えた胴体部、及び、
胴体部によって支持された、段落ＡからＡ２７のいずれか一段落に記載の少なくとも一つの圧力パネルを備え、少なくとも一つの圧力パネルは、航空機の飛行中に、航空機外部の圧力を上回る、又は下回る与圧区画内部の圧力を、少なくとも部分的に保持するよう構成されている、航空機。
【００６９】
Ｂ２．少なくとも一つの圧力パネルは、胴体部の与圧区画と胴体部の与圧されない区画の間の境界を、少なくとも部分的に画定する、段落Ｂ１に記載の航空機。
【００７０】
Ｂ３．胴体部に沿って長手方向に延伸し、少なくとも一つの圧力パネルの上部表面に係合する、間隔をあけて配置された複数の梁部を更に備える、段落Ｂ１又はＢ２に記載の航空機。
Ｂ３．１．各梁部は、第１の複数のビード部の隣接したビード部の間を延伸する、段落Ａ２１からＡ２１．５のいずれか一段落に従属する段落Ｂ３に記載の航空機。
Ｂ３．２．各梁部は、第２の複数のビード部の隣接したビード部の間を延伸する、段落Ａ２２からＡ２２．４．５のいずれか一段落に従属する段落Ｂ３又はＢ３．１に記載の航空機。
【００７１】
Ｂ４．機外翼部と、機外翼部の間の中央翼部を含む翼アセンブリを更に備え、翼アセンブリは胴体部によって支持され、
少なくとも一つの圧力パネルが、中央翼部に隣接して、かつ、機械的に連動して、本体の第１区域と共に配置され、任意には、少なくとも一つの圧力パネルは、中央翼部に動作可能に取り付けられ、また任意には、中央翼部に直接取り付けられる、段落Ｂ１からＢ３．２のいずれか一段落に記載の航空機。
【００７２】
Ｂ５．少なくとも一つの圧力パネルが、航空機の脚室を少なくとも部分的に画定する、段落Ｂ１からＢ４のいずれか一段落に記載の航空機。
Ｂ５．１．脚室は、少なくとも一つの圧力パネルのうち少なくとも一つを含む水平な圧力デッキによって部分的に画定される、段落Ｂ５に記載の航空機。
Ｂ５．２．脚室は、少なくとも一つの圧力パネルのうち少なくとも一つを含む少なくとも一つの垂直な隔壁によって部分的に画定される、段落Ｂ５又はＢ５．１に記載の航空機。
【００７３】
Ｂ６．被荷重形状が飛行中に航空機に対応する、段落Ａ１５からＡ１５．５のいずれか一段落に従属する段落Ｂ１からＢ５．２のいずれか一段落に記載の航空機。
【００７４】
Ｃ１．段落ＡからＡ２７のいずれか一段落に記載の圧力パネルを製造する方法であって、前記方法は、型打、フォーミング、レイアップ、押出加工、モールディング、裁断、曲げ加工、及びエッチングのうち一又は複数を含む。
【００７５】
Ｃ２．段落ＡからＡ２７のいずれか一段落に記載の圧力パネルを製造する方法であって、前記方法は、サブトラクティブ的な製造技術を含む。
【００７６】
Ｃ３．段落ＡからＡ２７のいずれか一段落に記載の圧力パネルを製造する方法であって、前記方法は、アディティブ的な製造技術を含む。
【００７７】
本書において「選択的な」及び「選択的に」という用語は、装置の一又は複数の構成要素の動作、運動、構成、又は他の活動、あるいは特徴を変更する時に、特定の動作、運動、構成、又は他の活動が、装置の１つの態様、若しくは一又は複数の構成要素について行われる、使用者による直接的または間接的な操作であることを意味する。
【００７８】
本書において「適合した」及び「構成された」という用語は、要素、構成要素、又は他の主題が所定の機能を果たすように設計され、及び／又は意図されていることを意味する。したがって、「適合した」及び「構成された」という用語の使用は、所定の要素、構成要素、又は他の主題が単に所定の機能を果たすことが「可能である」ということではなく、要素、構成要素、及び／又は他の主題が機能を果たす目的のために、特別に選択され、創出され、実施され、利用され、プログラムされ、及び／又は設計されていることを意味すると、解釈すべきである。特定の機能を果たすように適合しているものとして列挙されている、要素、構成要素、及び／又は他の主題は、追加的に又は代替的に、そのような機能を果たすように構成されているものとして記載することができ、逆もまた可であることも、本開示の範囲内である。同様に、特定の機能を果たすように構成されているものとして列挙されている主題は、追加的に又は代替的に、そのような機能を果たすために動作可能であるとして記載される。
【００７９】
本書に開示された装置及び方法のステップの様々な開示要素は、本開示による全ての装置及び方法に対して要求されるものではなく、本開示は、本書に開示される様々な要素及びステップの、あらゆる新規かつ非自明のコンビネーション並びにサブコンビネーションを含む。さらに、本書に開示された様々な要素及びステップのうち一又は複数は、開示された装置又は方法の全体とは分離された、別個の、単独の発明主題を定義することもある。そのため、かかる発明主題は、本書に明示的に開示された特定の装置及び方法に関連している必要はなく、かかる発明主題を、本書に明示的に開示されない装置、及び／又は方法に用いることができる。
【符号の説明】
【００８０】
１０  航空機
１２  圧力パネル
１４  機械区画
１６  脚室
１８  与圧区画
１９  圧力バリア
２０  翼アセンブリ
２１  胴体部
２２  機外翼部
２３  中央翼部
２４  梁部
２８  構造的に識別可能な区域
３０  第１区域
３２  第２区域
３４  幅（パネル幅）
３５  無荷重第１区域幅
３６  被荷重第１区域幅
３８  長さ（パネル長）
３９  厚み（パネル厚）
４０  第１辺
４２  第２辺
５０  翼部による変異
５８  ビード部
６０  第１の複数の引き伸ばされたビード部
６１  長手方向軸
６２  第２の複数の引き伸ばされたビード部
６３  長手方向軸
６５  ビード部深さ
６６  ビード部長
６７  ビード部幅
６８  横方向ビード部間隔
６９  縦方向ビード部間隔
【図１】
2015016856.tif 000003
【図２】
2015016856.tif 000004
【図３】
2015016856.tif 000005
【図４】
2015016856.tif 000006
【図５】
2015016856.tif 000007
【図６】
2015016856.tif 000008
【図７】
2015016856.tif 000009
【図８】
2015016856.tif 000010
【図９】
2015016856.tif 000011
【図１０】
2015016856.tif 000012
【外国語明細書】
2015016856000001.pdf
2015016856000002.pdf
2015016856000003.pdf
2015016856000004.pdf